(57)【要約】【課題】集音用マイクを新たに設けずに、拡声機能と集音機能とを有しながら、拡声時の音と集音した音とを同一伝送線で送信することができるスピーカーシステムを提供すること。【解決手段】通常放送時には、増幅部１０１で増幅した信号を切り換えスイッチ１０２を介しスピーカー１０３から出力する。一方、制御信号検出部１０５で集音制御を検出した際には切り換え制御部１０６により切り換えスイッチ１０２を切り換え、スピーカー１０３で集音した音をＡ／Ｄ変換部１０４でデジタルデータ化し、拡声時と同一伝送線で送信する。【選択図】　　　図１
2004129125.tif 000002
【特許請求の範囲】
【請求項１】
入出力伝送線を介してデジタルオーディオデータを入力する入出力部と、
前記入出力部に入力されたデジタルオーディオデータを増幅する増幅部と、
前記増幅部で増幅された信号を拡声するスピーカーと、
前記入出力部に入力されたデジタルオーディオデータから制御信号を検出する制御信号検出部と、
前記制御信号検出部に検出された制御信号により、拡声動作と集音動作とを切り換える切り換え部と、
前記スピーカーからアナログ信号を入力し、デジタルデータへ変換する信号変換部とを備え、
前記切り換え部は、前記制御信号検出部が前記集音動作に切り換える制御信号を検出したとき、前記スピーカーに外部の音を集音させ、
前記入出力部は、前記信号変換部に変換されたデジタルデータを、前記入出力伝送線を介して出力することを特徴とするスピーカーシステム。
【請求項２】
前記信号変換部に変換されたデジタルデータに基づいて集音信号を検出し、集音動作への切り換えを検出する集音信号検出部と、
前記集音信号検出部で集音動作への切り換えが検出されたとき、集音状態を示すデータを前記デジタルデータに付加する信号処理部とを備え、
前記入出力部は、前記信号処理部が集音状態を示すデータを付加した前記デジタルデータを、前記入出力伝送線を介して出力することを特徴とする請求項１に記載のスピーカーシステム。
【請求項３】
前記集音信号検出部で集音動作への切り換えが検出されたとき、集音動作への切り換えが行われたことを表示する切り換え表示部を備えたことを特徴とする請求項２に記載のスピーカーシステム。
【請求項４】
前記集音信号検出部で集音信号を検出している間、集音中であることを表示する集音表示部を備えたことを特徴とする請求項２に記載のスピーカーシステム。
【請求項５】
前記集音信号検出部から集音した信号の信号レベルを入力し、前記信号レベルを表示する集音レベル表示部を備え、
前記集音信号検出部は、前記信号変換部に変換されたデジタルデータから集音した信号の信号レベルを検出することを特徴とする請求項２に記載のスピーカーシステム。
【請求項６】
前記スピーカーの周囲の状況を撮影する監視カメラと、
前記集音信号検出部が集音信号を検出したとき、前記監視カメラを動作させるカメラ動作制御部とを備え、
前記信号処理部は、前記監視カメラが撮影した映像を、前記デジタルデータに付加し、
前記入出力部は、前記映像が付加されたデジタルデータを、前記入出力伝送線を介して出力することを特徴とする請求項２に記載のスピーカーシステム。
【請求項７】
前記スピーカーの周囲の状況を撮影する監視カメラと、
前記制御信号検出部が前記集音への切り換え制御信号を検出したとき、前記監視カメラを動作させるカメラ動作制御部とを備え、
前記入出力部は、前記制御信号検出部が前記集音への切り換え制御信号を検出したとき、前記監視カメラが撮影した映像を、前記入出力伝送線を介して出力することを特徴とする請求項１に記載のスピーカーシステム。
【発明の詳細な説明】
【０００１】
【発明の属する技術分野】
本発明は、音響システムにおけるスピーカーシステムに関するものである。
【０００２】
【従来の技術】
業務用音響システムにおけるスピーカーシステムは、通常増幅器で増幅された信号を拡声する。また、増幅器を具備するスピーカーシステムを用いる場合もある。
【０００３】
従来のスピーカーシステムとして、例えば、以下のものが知られている。このスピーカーシステムは、聴取位置に置かれたマイクで再生された音を収音し、収音した信号をそれぞれ異なった帯域をもつバンドパスフィルタで分割し、分割した信号をそれぞれ増幅した信号のレベルが同じになるように調整用アッテネータ（抵抗減衰器）を制御することにより、複数のスピーカーの再生音圧レベルを簡易にかつ、迅速に調整するものである（例えば、特許文献１参照）。
【０００４】
上記のようなスピーカーシステムは、主にビルや工場でのアナウンスやＢＧＭ放送に使用され、拡声する機能のみを有するものである。
【０００５】
そして、このような従来のスピーカーシステムでは、拡声エリアの騒音レベルを検出するためや出力レベルの自動調整のための集音には別途集音用マイクを用い、集音信号を送信するための電線が拡声用とは別に必要である。また、専用の集音用マイクを用いずにスピーカーシステムを集音用マイクとしても使用する場合についても、拡声時と集音時で信号を切り換え、各々の信号を送信するための電線が別途必要である。
【０００６】
例えば、上記拡声エリアの騒音レベルを検出するためのスピーカーシステムを図８に示す。図８に示すように、このスピーカーシステムは、入力されるオーディオデータを増幅する増幅部８０１と、増幅部８０１で増幅した信号を拡声するスピーカー８０３と、拡声と集音を切り換える切り換えスイッチ８０２と、集音時集音したアナログ信号をデジタルデータへ変換するＡ／Ｄ変換部８０４と、切り換え信号を入力し、切り換えスイッチ８０２を切り換える切り換え制御部８０５とを備える。
【０００７】
このスピーカーシステムにおいて、通常放送時には、入力されたデジタルオーディオデータを増幅部８０１で電力増幅し、スピーカー８０３で拡声する。一方、拡声エリアの騒音レベルを検出するためには、切り換え信号を切り換え制御部８０５に入力し、切り換え制御部８０５を動作させ、スピーカー８０３を集音用マイクとして使用するための切り換えスイッチ８０２を切り換える。そして、スピーカー８０３において集音した音をＡ／Ｄ変換部８０４でデジタルデータに変換し、集音データとして出力する。
【０００８】
【特許文献１】
特開平０６−０７０３９２号公報
【０００９】
【発明が解決しようとする課題】
しかしながら、このような従来のスピーカーシステムにおいては、スピーカーシステムを拡声用と集音用マイクの両装置として使用する場合、拡声エリアの騒音レベルの検出や出力レベルの自動調整のための集音には、切り換えスイッチの手動切り換え、もしくは、切り換え制御用の信号を送信するための電線が必要である。また、拡声時と集音時で、各々の信号を送信するためには、拡声用と集音用の各々専用の電線が必要であるという問題があった。
【００１０】
本発明はこのような問題を解決するためになされたもので、集音用マイクを新たに設けずに、集音した音を拡声時と同一電線で送信することができるスピーカーシステムを提供するものである。
【００１１】
【課題を解決するための手段】
本発明のスピーカーシステムは、入出力伝送線を介してデジタルオーディオデータを入力する入出力部と、前記入出力部に入力されたデジタルオーディオデータを増幅する増幅部と、前記増幅部で増幅された信号を拡声するスピーカーと、前記入出力部に入力されたデジタルオーディオデータから制御信号を検出する制御信号検出部と、前記制御信号検出部に検出された制御信号により、拡声動作と集音動作とを切り換える切り換え部と、前記スピーカーからアナログ信号を入力し、デジタルデータへ変換する信号変換部とを備え、前記切り換え部は、前記制御信号検出部が前記集音動作に切り換える制御信号を検出したとき、前記スピーカーに外部の音を集音させ、前記入出力部は、前記信号変換部に変換されたデジタルデータを、前記入出力伝送線を介して出力することを特徴とした構成を有している。
【００１２】
この構成により、制御信号検出部で拡声動作と集音動作とを切り換える制御信号を検出し、スピーカーを集音マイクとして使用し、集音した集音信号を信号変換部においてデジタルデータに変換し、デジタルオーディオデータを入力する伝送線を介して出力するので、切り換え信号入力線を設けることもなく、拡声と集音の切り換えができ、集音用のマイクを新たに設けず拡声エリアの集音を行うことができるとともに、拡声時の入力信号と集音時の出力信号とを同一伝送線を用いて送受信することができることとなる。
【００１３】
また、本発明のスピーカーシステムは、前記信号変換部に変換されたデジタルデータに基づいて集音信号を検出し、集音動作への切り換えを検出する集音信号検出部と、前記集音信号検出部で集音動作への切り換えが検出されたとき、集音状態を示すデータを前記デジタルデータに付加する信号処理部とを備え、前記入出力部は、前記信号処理部が集音状態を示すデータを付加した前記デジタルデータを、前記入出力伝送線を介して出力することを特徴とした構成を有している。
【００１４】
この構成により、出力されるデジタルデータに集音状態を示すデータが付加されるので、集音状態を示すデータが送信され、制御側の機器において、拡声動作から集音動作への切り換えが行われたことを確認することができることとなる。
【００１５】
また、本発明のスピーカーシステムは、前記集音信号検出部で集音動作への切り換えが検出されたとき、集音動作への切り換えが行われたことを表示する切り換え表示部を備えたことを特徴とした構成を有している。
【００１６】
この構成により、拡声動作から集音動作に切り換わったときには、この切り換えが行われたことが表示されるので、スピーカー側において拡声動作から集音動作への切り換えが行われたことを確認することができることとなる。
【００１７】
また、本発明のスピーカーシステムは、前記集音信号検出部で集音信号を検出している間、集音中であることを表示する集音表示部を備えたことを特徴とした構成を有している。
【００１８】
この構成により、集音信号の検出により集音表示部に集音中であることが表示されるので、スピーカー側において集音中であることを確認することができることとなる。
【００１９】
また、本発明のスピーカーシステムは、前記集音信号検出部から集音した信号の信号レベルを入力し、前記信号レベルを表示する集音レベル表示部を備え、前記集音信号検出部は、前記信号変換部に変換されたデジタルデータから集音した信号の信号レベルを検出することを特徴とした構成を有している。
【００２０】
この構成により、集音した信号の信号レベルにより信号レベルが表示されるので、スピーカー側において集音した信号のレベルを確認することができることとなる。
【００２１】
また、本発明のスピーカーシステムは、前記スピーカーの周囲の状況を撮影する監視カメラと、前記集音信号検出部が集音信号を検出したとき、前記監視カメラを動作させるカメラ動作制御部とを備え、前記信号処理部は、前記監視カメラが撮影した映像を、前記デジタルデータに付加し、前記入出力部は、前記映像が付加されたデジタルデータを、前記入出力伝送線を介して出力することを特徴とした構成を有している。
【００２２】
この構成により、集音信号を検出して、監視カメラを動作させ、監視カメラが撮影したスピーカー周囲の映像を送信するので、集音中の動作に同期して、制御側の機器において、スピーカーの周囲の映像を観ながら集音した音を聴くことができ、集音地域の状況を把握することができることとなる。
【００２３】
また、本発明のスピーカーシステムは、前記スピーカーの周囲の状況を撮影する監視カメラと、前記制御信号検出部が前記集音への切り換え制御信号を検出したとき、前記監視カメラを動作させるカメラ動作制御部とを備え、前記入出力部は、前記制御信号検出部が前記集音への切り換え制御信号を検出したとき、前記監視カメラが撮影した映像を、前記入出力伝送線を介して出力することを特徴とした構成を有している。
【００２４】
この構成により、切り換え制御信号を検出して、監視カメラを動作させ、監視カメラが撮影したスピーカー周囲の映像を送信するので、拡声動作から集音動作への切り換えに同期して、制御側の機器において、スピーカーの周囲の映像を観ながら集音した音を聴くことができ、集音地域の状況を把握することができることとなる。
【００２５】
【発明の実施の形態】
以下、本発明の実施の形態について、図面を用いて説明する。
（第１の実施の形態）
【００２６】
まず、本発明の第１の実施の形態のスピーカーシステムの構成図を、図１に示す。
【００２７】
図１に示すように、本発明の第１の実施の形態のスピーカーシステムは、入力されるオーディオデータを増幅する増幅部１０１と、増幅部１０１で増幅した信号を拡声するスピーカー１０３と、デジタルオーディオデータから制御信号を検出する制御信号検出部１０５と、拡声と集音を切り換える切り換えスイッチ１０２と、集音時集音したアナログ信号をデジタルデータへ変換するＡ／Ｄ変換部１０４と、制御信号検出部１０５で検出された切り換え制御信号により切り換えスイッチ１０２を切り換える切り換え制御部１０６とを備えている。
【００２８】
次に、本実施の形態に係るスピーカーシステムの動作について説明する。
【００２９】
本実施の形態のスピーカーシステムにおいて、通常放送時には、入力されたデジタルオーディオデータをデジタル入力可能なＤ級増幅方式の増幅部１０１で電力増幅し、スピーカー１０３で拡声する。一方、入力されるデジタルオーディオデータ内における集音への切り換え制御信号を制御信号検出部１０５において検出した際には、切り換え制御部１０６を動作させ、スピーカー１０３を集音用マイクとして使用するための切り換えスイッチ１０２を切り換える。そして、スピーカー１０３において集音した音をＡ／Ｄ変換部１０４でデジタルデータに変換し、前記デジタルオーディオデータを入力する伝送線を利用して、制御機器側へ送信する。
【００３０】
以上説明したように、本実施の形態のスピーカーシステムによれば、制御信号検出部において集音への切り換え制御信号を検出し、切り換えスイッチを切り換えて、スピーカーで集音した音を入力伝送線を使用して送信するので、拡声と集音の動作を１台のスピーカーで実現するとともに、それぞれの信号を同一伝送線で送受信することができる。
（第２の実施の形態）
【００３１】
次に、本発明の第２の実施の形態のスピーカーシステムの構成図を、図２に示す。
【００３２】
図２に示すように、本発明の第２の実施の形態のスピーカーシステムは、入力されるオーディオデータを増幅する増幅部２０１と、増幅部２０１で増幅した信号を拡声するスピーカー２０３と、デジタルオーディオデータから制御信号を検出する制御信号検出部２０５と、拡声と集音を切り換える切り換えスイッチ２０２と、集音時集音したアナログ信号をデジタルデータへ変換するＡ／Ｄ変換部２０４と、制御信号検出部２０５で検出された切り換え制御信号により切り換えスイッチ２０２を切り換える切り換え制御部２０６と、Ａ／Ｄ変換部２０４で変換されたデジタルデータをもとに集音への切り換えを検出する集音信号検出部２０７と、集音状態を示すデータを集音したオーディオデータに付加して送信する信号処理部２０８とを備えている。
【００３３】
なお、本実施の形態のスピーカーシステムは、図１に示した第１の実施の形態に対応するスピーカーシステムと同様の基本的構成を有し、本実施の形態のスピーカーシステムにおける増幅部２０１、切り換えスイッチ２０２、スピーカー２０３、Ａ／Ｄ変換部２０４、制御信号検出部２０５、切り換え制御部２０６は、第１の実施の形態のスピーカーシステムにおける増幅部１０１、切り換えスイッチ１０２、スピーカー１０３、Ａ／Ｄ変換部１０４、制御信号検出部１０５、切り換え制御部１０６と同様のものである。
【００３４】
また、本実施の形態の特徴は、図１に示した第１の実施の形態に対応するスピーカーシステムに対して、集音信号検出部２０７、信号処理部２０８を有することにある。その他の構成は、上記のように第１の実施の形態に対応するスピーカーシステムと同様の構成である。
【００３５】
次に、本実施の形態に係るスピーカーシステムの動作について説明する。
【００３６】
本実施の形態のスピーカーシステムにおいて、通常放送時には、入力されたデジタルオーディオデータをデジタル入力可能なＤ級増幅方式の増幅部２０１で電力増幅し、スピーカー２０３で拡声する。一方、入力されるデジタルオーディオデータ内における集音への切り換え制御信号を制御信号検出部２０５において検出した際には、切り換え制御部２０６を動作させ、スピーカー２０３を集音用マイクとして使用するための切り換えスイッチ２０２を切り換える。そして、スピーカー２０３において集音した音をＡ／Ｄ変換部２０４でデジタルデータに変換し、集音信号検出部２０７に出力する。
【００３７】
集音信号検出部２０７では、Ａ／Ｄ変換部２０４において変換されたデジタルデータをもとに集音への切り換えを検出すると、検出結果とともに前記デジタルデータを信号処理部２０８に出力する。信号処理部２０８では、集音状態を示すデータを集音したオーディオデータに付加して、前記デジタルオーディオデータを入力する伝送線を利用して、制御機器側へ送信する。
【００３８】
以上説明したように、本実施の形態のスピーカーシステムによれば、集音信号を検出し、集音信号とともに集音状態を示す信号を入力伝送線を使用して制御機器側へ送信するので、制御機器側で集音状態を認識することができる。
（第３の実施の形態）
【００３９】
次に、本発明の第３の実施の形態のスピーカーシステムの構成図を、図３に示す。
【００４０】
図３に示すように、本発明の第３の実施の形態のスピーカーシステムは、入力されるオーディオデータを増幅する増幅部３０１と、増幅部３０１で増幅した信号を拡声するスピーカー３０３と、デジタルオーディオデータから制御信号を検出する制御信号検出部３０５と、拡声と集音を切り換える切り換えスイッチ３０２と、集音時集音したアナログ信号をデジタルデータへ変換するＡ／Ｄ変換部３０４と、制御信号検出部３０５で検出された切り換え制御信号により切り換えスイッチ３０２を切り換える切り換え制御部３０６と、Ａ／Ｄ変換部３０４で変換されたデジタルデータをもとに集音への切り換えを検出する集音信号検出部３０７と、集音状態を示すデータを集音したオーディオデータに付加して送信する信号処理部３０８と、集音信号検出部３０７から出力される集音信号検出結果により、集音切り換えの状態を表示する切り換え表示部３０９とを備えている。
【００４１】
なお、本実施の形態のスピーカーシステムは、図２に示した第２の実施の形態に対応するスピーカーシステムと同様の基本的構成を有し、本実施の形態のスピーカーシステムにおける増幅部３０１、切り換えスイッチ３０２、スピーカー３０３、Ａ／Ｄ変換部３０４、制御信号検出部３０５、切り換え制御部３０６、集音信号検出部３０７、信号処理部３０８は、第２の実施の形態のスピーカーシステムにおける増幅部２０１、切り換えスイッチ２０２、スピーカー２０３、Ａ／Ｄ変換部２０４、制御信号検出部２０５、切り換え制御部２０６、集音信号検出部２０７、信号処理部２０８と同様のものである。
【００４２】
また、本実施の形態の特徴は、図２に示した第２の実施の形態に対応するスピーカーシステムに対して、切り換え表示部３０９を有することにある。その他の構成は、上記のように第２の実施の形態に対応するスピーカーシステムと同様の構成である。
【００４３】
次に、本実施の形態に係るスピーカーシステムの動作について説明する。
【００４４】
本実施の形態のスピーカーシステムにおいて、通常放送時には、入力されたデジタルオーディオデータをデジタル入力可能なＤ級増幅方式の増幅部３０１で電力増幅し、スピーカー３０３で拡声する。一方、入力されるデジタルオーディオデータ内における集音への切り換え制御信号を制御信号検出部３０５において検出した際には、切り換え制御部３０６を動作させ、スピーカー３０３を集音用マイクとして使用するための切り換えスイッチ３０２を切り換える。そして、スピーカー３０３において集音した音をＡ／Ｄ変換部３０４でデジタルデータに変換し、集音信号検出部３０７に出力する。
【００４５】
集音信号検出部３０７では、Ａ／Ｄ変換部３０４において変換されたデジタルデータをもとに集音への切り換えを検出すると、検出結果とともに前記デジタルデータを信号処理部３０８に出力するとともに、集音信号検出結果を切り換え表示部３０９に出力する。信号処理部３０８では、集音状態を示すデータを集音したオーディオデータに付加して、前記デジタルオーディオデータを入力する伝送線を利用して、制御機器側へ送信する。また、切り換え表示部３０９では、前記集音信号検出結果により、集音切り換えの状態を表示する。
【００４６】
以上説明したように、本実施の形態のスピーカーシステムによれば、集音信号を検出し、集音状態を表示するので、集音への切り換え状態をスピーカー側で認識することができる。
（第４の実施の形態）
【００４７】
次に、本発明の第４の実施の形態のスピーカーシステムの構成図を、図４に示す。
【００４８】
図４に示すように、本発明の第４の実施の形態のスピーカーシステムは、入力されるオーディオデータを増幅する増幅部４０１と、増幅部４０１で増幅した信号を拡声するスピーカー４０３と、デジタルオーディオデータから制御信号を検出する制御信号検出部４０５と、拡声と集音を切り換える切り換えスイッチ４０２と、集音時集音したアナログ信号をデジタルデータへ変換するＡ／Ｄ変換部４０４と、制御信号検出部４０５で検出された切り換え制御信号により切り換えスイッチ４０２を切り換える切り換え制御部４０６と、Ａ／Ｄ変換部４０４で変換されたデジタルデータをもとに集音信号を検出する集音信号検出部４０７と、集音状態を示すデータを集音したオーディオデータに付加して送信する信号処理部４０８と、集音信号検出部４０７から出力される集音信号検出結果により、集音中であることを表示する集音表示部４０９とを備えている。
【００４９】
なお、本実施の形態のスピーカーシステムは、図２に示した第２の実施の形態に対応するスピーカーシステムと同様の基本的構成を有し、本実施の形態のスピーカーシステムにおける増幅部４０１、切り換えスイッチ４０２、スピーカー４０３、Ａ／Ｄ変換部４０４、制御信号検出部４０５、切り換え制御部４０６、集音信号検出部４０７、信号処理部４０８は、第２の実施の形態のスピーカーシステムにおける増幅部２０１、切り換えスイッチ２０２、スピーカー２０３、Ａ／Ｄ変換部２０４、制御信号検出部２０５、切り換え制御部２０６、集音信号検出部２０７、信号処理部２０８と同様のものである。
【００５０】
また、本実施の形態の特徴は、図２に示した第２の実施の形態に対応するスピーカーシステムに対して、集音表示部４０９を有することにある。その他の構成は、上記のように第２の実施の形態に対応するスピーカーシステムと同様の構成である。
【００５１】
次に、本実施の形態に係るスピーカーシステムの動作について説明する。
【００５２】
本実施の形態のスピーカーシステムにおいて、通常放送時には、入力されたデジタルオーディオデータをデジタル入力可能なＤ級増幅方式の増幅部４０１で電力増幅し、スピーカー４０３で拡声する。一方、入力されるデジタルオーディオデータ内における集音への切り換え制御信号を制御信号検出部４０５において検出した際には、切り換え制御部４０６を動作させ、スピーカー４０３を集音用マイクとして使用するための切り換えスイッチ４０２を切り換える。そして、スピーカー４０３において集音した音をＡ／Ｄ変換部４０４でデジタルデータに変換し、集音信号検出部４０７に出力する。
【００５３】
集音信号検出部４０７では、Ａ／Ｄ変換部４０４において変換されたデジタルデータをもとに集音信号を検出すると、検出結果とともに前記デジタルデータを信号処理部４０８に出力するとともに、集音信号検出結果を集音表示部４０９に出力する。信号処理部４０８では、集音状態を示すデータを集音したオーディオデータに付加して、前記デジタルオーディオデータを入力する伝送線を利用して、制御機器側へ送信する。また、集音表示部４０９では、前記集音信号検出結果により、集音中であることを表示する。
【００５４】
以上説明したように、本実施の形態のスピーカーシステムによれば、集音信号を検出し、集音中であることを表示するので、集音中であることをスピーカー側で認識することができる。
（第５の実施の形態）
【００５５】
次に、本発明の第５の実施の形態のスピーカーシステムの構成図を、図５に示す。
【００５６】
図５に示すように、本発明の第５の実施の形態のスピーカーシステムは、入力されるオーディオデータを増幅する増幅部５０１と、増幅部５０１で増幅した信号を拡声するスピーカー５０３と、デジタルオーディオデータから制御信号を検出する制御信号検出部５０５と、拡声と集音を切り換える切り換えスイッチ５０２と、集音時集音したアナログ信号をデジタルデータへ変換するＡ／Ｄ変換部５０４と、制御信号検出部５０５で検出された切り換え制御信号により切り換えスイッチ５０２を切り換える切り換え制御部５０６と、Ａ／Ｄ変換部５０４で変換されたデジタルデータをもとに集音信号および信号レベルを検出する集音信号検出部５０７と、集音状態を示すデータを集音したオーディオデータに付加して送信する信号処理部５０８と、集音信号検出部５０７から前記集音した信号の信号レベルを入力し、前記信号レベルを表示する集音レベル表示部５０９とを備えている。
【００５７】
なお、本実施の形態のスピーカーシステムは、図２に示した第２の実施の形態に対応するスピーカーシステムと同様の基本的構成を有し、本実施の形態のスピーカーシステムにおける増幅部５０１、切り換えスイッチ５０２、スピーカー５０３、Ａ／Ｄ変換部５０４、制御信号検出部５０５、切り換え制御部５０６、集音信号検出部５０７、信号処理部５０８は、第２の実施の形態のスピーカーシステムにおける増幅部２０１、切り換えスイッチ２０２、スピーカー２０３、Ａ／Ｄ変換部２０４、制御信号検出部２０５、切り換え制御部２０６、集音信号検出部２０７、信号処理部２０８と同様のものである。
【００５８】
また、本実施の形態の特徴は、図２に示した第２の実施の形態に対応するスピーカーシステムに対して、集音レベル表示部５０９を有することにある。その他の構成は、上記のように第２の実施の形態に対応するスピーカーシステムと同様の構成である。
【００５９】
次に、本実施の形態に係るスピーカーシステムの動作について説明する。
【００６０】
本実施の形態のスピーカーシステムにおいて、通常放送時には、入力されたデジタルオーディオデータをデジタル入力可能なＤ級増幅方式の増幅部５０１で電力増幅し、スピーカー５０３で拡声する。一方、入力されるデジタルオーディオデータ内における集音への切り換え制御信号を制御信号検出部５０５において検出した際には、切り換え制御部５０６を動作させ、スピーカー５０３を集音用マイクとして使用するための切り換えスイッチ５０２を切り換える。そして、スピーカー５０３において集音した音をＡ／Ｄ変換部５０４でデジタルデータに変換し、集音信号検出部５０７に出力する。
【００６１】
集音信号検出部５０７では、Ａ／Ｄ変換部５０４において変換されたデジタルデータをもとに集音信号および信号レベルを検出すると、検出結果とともに前記デジタルデータを信号処理部５０８に出力するとともに、集音信号レベルを集音レベル表示部５０９に出力する。信号処理部５０８では、集音状態を示すデータを集音したオーディオデータに付加して、前記デジタルオーディオデータを入力する伝送線を利用して、制御機器側へ送信する。また、集音レベル表示部５０９では、前記集音信号レベルにより、集音信号の信号レベルを表示する。
【００６２】
以上説明したように、本実施の形態のスピーカーシステムによれば、集音信号レベルを検出し、集音信号レベルを表示するので、集音した信号のレベルをスピーカー側で認識することができる。
（第６の実施の形態）
【００６３】
次に、本発明の第６の実施の形態のスピーカーシステムの構成図を、図６に示す。
【００６４】
図６に示すように、本発明の第６の実施の形態のスピーカーシステムは、入力されるオーディオデータを増幅する増幅部６０１と、増幅部６０１で増幅した信号を拡声するスピーカー６０３と、デジタルオーディオデータから制御信号を検出する制御信号検出部６０５と、拡声と集音を切り換える切り換えスイッチ６０２と、集音時集音したアナログ信号をデジタルデータへ変換するＡ／Ｄ変換部６０４と、制御信号検出部６０５で検出された切り換え制御信号により切り換えスイッチ６０２を切り換える切り換え制御部６０６と、Ａ／Ｄ変換部６０４で変換されたデジタルデータをもとに集音信号を検出する集音信号検出部６０７と、集音状態を示すデータを集音したオーディオデータに付加して送信する信号処理部６０８と、スピーカー７０３の周辺を撮影する監視用カメラ６１０と、制御信号検出部６０５に検出された切り換え制御信号により、監視用カメラ６１０を動作させるカメラ動作制御部６０９とを備えている。
【００６５】
なお、本実施の形態のスピーカーシステムは、図２に示した第２の実施の形態に対応するスピーカーシステムと同様の基本的構成を有し、本実施の形態のスピーカーシステムにおける増幅部６０１、切り換えスイッチ６０２、スピーカー６０３、Ａ／Ｄ変換部６０４、制御信号検出部６０５、切り換え制御部６０６、集音信号検出部６０７、信号処理部６０８は、第２の実施の形態のスピーカーシステムにおける増幅部２０１、切り換えスイッチ２０２、スピーカー２０３、Ａ／Ｄ変換部２０４、制御信号検出部２０５、切り換え制御部２０６、集音信号検出部２０７、信号処理部２０８と同様のものである。
【００６６】
また、本実施の形態の特徴は、図２に示した第２の実施の形態に対応するスピーカーシステムに対して、カメラ動作制御部６０９、監視用カメラ６１０を有することにある。その他の構成は、上記のように第２の実施の形態に対応するスピーカーシステムと同様の構成である。
【００６７】
次に、本実施の形態に係るスピーカーシステムの動作について説明する。
【００６８】
本実施の形態のスピーカーシステムにおいて、通常放送時には、入力されたデジタルオーディオデータをデジタル入力可能なＤ級増幅方式の増幅部６０１で電力増幅し、スピーカー６０３で拡声する。一方、入力されるデジタルオーディオデータ内における集音への切り換え制御信号を制御信号検出部６０５において検出した際には、切り換え制御部６０６を動作させ、スピーカー６０３を集音用マイクとして使用するための切り換えスイッチ６０２を切り換える。そして、スピーカー６０３において集音した音をＡ／Ｄ変換部６０４でデジタルデータに変換し、集音信号検出部６０７に出力する。
【００６９】
集音信号検出部６０７では、Ａ／Ｄ変換部６０４において変換されたデジタルデータをもとに集音信号を検出すると、検出結果とともに前記デジタルデータを信号処理部６０８に出力するとともに、集音信号検出結果をカメラ動作制御部６０９に出力する。信号処理部６０８では、集音状態を示すデータを集音したオーディオデータに付加して、前記デジタルオーディオデータを入力する伝送線を利用して、制御機器側へ送信する。
【００７０】
また、制御信号検出部６０５が集音への切り換え制御信号を検出した際には、カメラ動作制御部６０９により、監視用カメラ６１０を動作させる。
【００７１】
監視用カメラ６１０で撮影された映像は、信号処理部６０８に出力される。信号処理部６０８では、前記集音したオーディオデータとともに、監視用カメラ６１０から入力した映像を、前記デジタルオーディオデータを入力する伝送線を利用して、制御機器側へ送信する。
【００７２】
以上説明したように、本実施の形態のスピーカーシステムによれば、集音への切り換え制御信号により、監視カメラを動作させることができ、スピーカー周囲の映像を制御機器側で確認することができる。
（第７の実施の形態）
【００７３】
次に、本発明の第７の実施の形態のスピーカーシステムの構成図を、図７に示す。
【００７４】
図７に示すように、本発明の第７の実施の形態のスピーカーシステムは、入力されるオーディオデータを増幅する増幅部７０１と、増幅部７０１で増幅した信号を拡声するスピーカー７０３と、デジタルオーディオデータから制御信号を検出する制御信号検出部７０５と、拡声と集音を切り換える切り換えスイッチ７０２と、集音時集音したアナログ信号をデジタルデータへ変換するＡ／Ｄ変換部７０４と、制御信号検出部７０５で検出された切り換え制御信号により切り換えスイッチ７０２を切り換える切り換え制御部７０６と、Ａ／Ｄ変換部７０４で変換されたデジタルデータをもとに集音信号を検出する集音信号検出部７０７と、集音状態を示すデータを集音したオーディオデータに付加して送信する信号処理部７０８と、スピーカー７０３の周辺を撮影する監視用カメラ７１０と、集音信号検出部７０７から出力される集音信号検出結果により、監視用カメラ７１０を動作させるカメラ動作制御部７０９とを備えている。
【００７５】
なお、本実施の形態のスピーカーシステムは、図２に示した第２の実施の形態に対応するスピーカーシステムと同様の基本的構成を有し、本実施の形態のスピーカーシステムにおける増幅部７０１、切り換えスイッチ７０２、スピーカー７０３、Ａ／Ｄ変換部７０４、制御信号検出部７０５、切り換え制御部７０６、集音信号検出部７０７、信号処理部７０８は、第２の実施の形態のスピーカーシステムにおける増幅部２０１、切り換えスイッチ２０２、スピーカー２０３、Ａ／Ｄ変換部２０４、制御信号検出部２０５、切り換え制御部２０６、集音信号検出部２０７、信号処理部２０８と同様のものである。
【００７６】
また、本実施の形態の特徴は、図２に示した第２の実施の形態に対応するスピーカーシステムに対して、カメラ動作制御部７０９、監視用カメラ７１０を有することにある。その他の構成は、上記のように第２の実施の形態に対応するスピーカーシステムと同様の構成である。
【００７７】
次に、本実施の形態に係るスピーカーシステムの動作について説明する。
【００７８】
本実施の形態のスピーカーシステムにおいて、通常放送時には、入力されたデジタルオーディオデータをデジタル入力可能なＤ級増幅方式の増幅部７０１で電力増幅し、スピーカー７０３で拡声する。一方、入力されるデジタルオーディオデータ内における集音への切り換え制御信号を制御信号検出部７０５において検出した際には、切り換え制御部７０６を動作させ、スピーカー７０３を集音用マイクとして使用するための切り換えスイッチ７０２を切り換える。そして、スピーカー７０３において集音した音をＡ／Ｄ変換部７０４でデジタルデータに変換し、集音信号検出部７０７に出力する。
【００７９】
集音信号検出部７０７では、Ａ／Ｄ変換部７０４において変換されたデジタルデータをもとに集音信号を検出すると、検出結果とともに前記デジタルデータを信号処理部７０８に出力するとともに、集音信号検出結果をカメラ動作制御部７０９に出力する。信号処理部７０８では、集音状態を示すデータを集音したオーディオデータに付加して、前記デジタルオーディオデータを入力する伝送線を利用して、制御機器側へ送信する。また、カメラ動作制御部７０９では、前記集音信号検出結果により、監視用カメラ７１０を動作させる。
【００８０】
監視用カメラ７１０で撮影された映像は、信号処理部７０８に出力される。信号処理部７０８では、前記集音したオーディオデータとともに、監視用カメラ７１０から入力した映像を、前記デジタルオーディオデータを入力する伝送線を利用して、制御機器側へ送信する。
【００８１】
以上説明したように、本実施の形態のスピーカーシステムによれば、集音信号を検出し、監視カメラを動作させるので、スピーカー周囲の映像を制御機器側で確認することができる。
【００８２】
【発明の効果】
以上説明したように、本発明によれば、制御信号検出部で拡声動作と集音動作とを切り換える制御信号を検出し、スピーカーを集音マイクとして使用し、集音した集音信号を信号変換部においてデジタルデータに変換し、デジタルオーディオデータを入力する伝送線を介して出力するので、切り換え信号入力線を設けることもなく、拡声と集音の切り換えができ、集音用のマイクを新たに設けず拡声エリアの集音を行うことができるとともに、拡声時の入力信号と集音時の出力信号とを同一伝送線を用いて送受信することができるスピーカーシステムを提供することができるものである。
【図面の簡単な説明】
【図１】本発明の第１の実施の形態におけるスピーカーシステムの構成を示すブロック図
【図２】本発明の第２の実施の形態におけるスピーカーシステムの構成を示すブロック図
【図３】本発明の第３の実施の形態におけるスピーカーシステムの構成を示すブロック図
【図４】本発明の第４の実施の形態におけるスピーカーシステムの構成を示すブロック図
【図５】本発明の第５の実施の形態におけるスピーカーシステムの構成を示すブロック図
【図６】本発明の第６の実施の形態におけるスピーカーシステムの構成を示すブロック図
【図７】本発明の第７の実施の形態におけるスピーカーシステムの構成を示すブロック図
【図８】従来の一実施の形態におけるスピーカーシステムの構成を示すブロック図
【符号の説明】
１０１　増幅部
１０２　切り換えスイッチ
１０３　スピーカー
１０４　Ａ／Ｄ変換部
１０５　制御信号検出部
１０６　切り換え制御部
２０１　増幅部
２０２　切り換えスイッチ
２０３　スピーカー
２０４　Ａ／Ｄ変換部
２０５　制御信号検出部
２０６　切り換え制御部
２０７　集音信号検出部
２０８　信号処理部
３０１　増幅部
３０２　切り換えスイッチ
３０３　スピーカー
３０４　Ａ／Ｄ変換部
３０５　制御信号検出部
３０６　切り換え制御部
３０７　集音信号検出部
３０８　信号処理部
３０９　切り換え表示部
４０１　増幅部
４０２　切り換えスイッチ
４０３　スピーカー
４０４　Ａ／Ｄ変換部
４０５　制御信号検出部
４０６　切り換え制御部
４０７　集音信号検出部
４０８　信号処理部
４０９　集音表示部
５０１　増幅部
５０２　切り換えスイッチ
５０３　スピーカー
５０４　Ａ／Ｄ変換部
５０５　制御信号検出部
５０６　切り換え制御部
５０７　集音信号検出部
５０８　信号処理部
５０９　集音レベル表示部
６０１　増幅部
６０２　切り換えスイッチ
６０３　スピーカー
６０４　Ａ／Ｄ変換部
６０５　制御信号検出部
６０６　切り換え制御部
６０７　集音信号検出部
６０８　信号処理部
６０９　カメラ動作制御部
６１０　監視用カメラ
７０１　増幅部
７０２　切り換えスイッチ
７０３　スピーカー
７０４　Ａ／Ｄ変換部
７０５　制御信号検出部
７０６　換え制御部
７０７　集音信号検出部
７０８　信号処理部
７０９　カメラ動作制御部
７１０　監視用カメラ
８０１　増幅部
８０２　切り換えスイッチ
８０３　スピーカー
８０４　Ａ／Ｄ変換部
８０５　切り換え制御部
【図１】
2004129125.tif 000003
【図２】
2004129125.tif 000004
【図３】
2004129125.tif 000005
【図４】
2004129125.tif 000006
【図５】
2004129125.tif 000007
【図６】
2004129125.tif 000008
【図７】
2004129125.tif 000009
【図８】
2004129125.tif 000010